(57)【要約】【課題】デジタルカメラにより、指示者からの指示どおりの撮影を撮影者が容易に行なえるようにすることである。【解決手段】撮影指示者が作成した撮影指示ファイル２１を、デジタルスチルカメラに記憶してディスプレイに表示する。その商品名２２、備考２７の記載により指示された被写体を撮影する。また、その際、所望のＮｏ．を選択することで、階層数２３、圧縮率２４などの圧縮符号化処理方式が自動設定されて、撮影後の画像データはその設定された方式で圧縮符号化されて記録メディアに記録される。【選択図】　　図１３
2004104306.tif 000002
【特許請求の範囲】
【請求項１】
画像を撮像する撮像素子と、
この撮像した画像データを圧縮符号化する圧縮手段と、
前記撮像を行なう被写体を特定する情報と前記圧縮手段による圧縮符号化の際の圧縮符号化処理方式を指示する情報とを関連付けて、書き換え可能に記憶する第１の記憶装置と、
前記指示する情報の指示に応じて前記圧縮符号化処理方式を設定する設定手段と、
を備えている撮像装置。
【請求項２】
前記圧縮手段は、ＪＰＥＧ２０００アルゴリズムにより前記圧縮符号化を行なうものであり、
前記設定手段は、ＪＰＥＧ２０００アルゴリズムによる圧縮符号化処理方式の設定を行なうものである、
請求項１に記載の撮像装置。
【請求項３】
前記設定手段は、圧縮符号化処理方式の少なくとも一つとして前記圧縮符号化する際の階層数を設定する、請求項２に記載の撮像装置。
【請求項４】
前記設定手段は、圧縮符号化処理方式の少なくとも一つとして前記圧縮符号化する際の圧縮率を設定する、請求項２に記載の撮像装置。
【請求項５】
前記設定手段は、圧縮符号化処理方式の少なくとも一つとして前記圧縮符号化する際のプログレッシブを設定する、請求項２に記載の撮像装置。
【請求項６】
前記設定手段は、圧縮符号化処理方式の少なくとも一つとして前記圧縮符号化する際のＷａｖｅｌｅｔフィルタを設定する、請求項２に記載の撮像装置。
【請求項７】
前記第１の記憶装置は、前記被写体を特定する情報と前記圧縮符号化処理方式を指示する情報とに関連付けて、必要に応じて画像の符号量を削減する複数段階の優先度の情報も書き換え可能に記憶するものであり、
前記圧縮符号化後の符号データを第２の記憶装置に記憶する画像記憶手段と、前記第２の記憶装置の使用されている記憶容量を所定の閾値と比較する比較手段と、
前記記憶容量が前記閾値を上回ったときは、前記第２の記憶装置に記憶されている符号データの符号量を、前記符号量を削減する優先度の高い画像が低い画像の符号量を上回らないように削減する削減手段と、
前記記憶容量が前記閾値を上回ったときは、前記削減により前記記憶容量が前記閾値を下回るまで、前記撮像を禁止する禁止手段と、
を備えている請求項２〜６の何れかの一に記載の撮像装置。
【請求項８】
前記第１の記憶装置は、前記被写体を特定する情報と前記圧縮符号化処理方式を指示する情報とに関連付けて、必要に応じて画像の符号量を削減する複数段階の優先度の情報も書き換え可能に記憶するものであり、
前記圧縮符号化後の符号データを第２の記憶装置に記憶する画像記憶手段と、前記第２の記憶装置の使用されている記憶容量を所定の閾値と比較する比較手段と、
前記記憶容量が前記閾値を上回ったときは、前記第２の記憶装置に記憶されている画像の中からユーザの選択に応じての符号量を削減する削減手段と、
前記記憶容量が前記閾値を上回ったときは、前記削減により前記記憶容量が前記閾値を下回るまで、前記撮像を禁止する禁止手段と、
を備えている請求項２〜６の何れかの一に記載の撮像装置。
【請求項９】
前記削減手段は、前記第２の記憶装置に記憶されている前記符号データをさらに高い圧縮率で再度圧縮した符号データとすることにより前記符号量の削減を行なう、請求項７又は８に記載の撮像装置。
【請求項１０】
前記削減手段は、前記第２の記憶装置に記憶されている前記符号データの符号の一部を削減することにより前記符号量の削減を行なう、請求項７又は８に記載の撮像装置。
【請求項１１】
ユーザの入力に応じて、画像を撮像する撮像装置で前記撮像を行なう被写体を特定する情報と、前記撮像後の画像データを圧縮符号化する際の圧縮符号化処理方式を前記撮像装置を制御するコンピュータに対して指示する情報とを関連付けて記録するファイルの編集を行なう、編集装置。
【請求項１２】
前記圧縮符号化処理方式の少なくとも一つとして前記圧縮符号化する際の階層数を記録した前記編集を行なう、請求項１１に記載の編集装置。
【請求項１３】
前記圧縮符号化処理方式の少なくとも一つとして前記圧縮符号化する際の圧縮率を記録した前記編集を行なう、請求項１１に記載の編集装置。
【請求項１４】
前記圧縮符号化処理方式の少なくとも一つとして前記圧縮符号化する際のプログレッシブを記録した前記編集を行なう、請求項１１に記載の編集装置。
【請求項１５】
前記圧縮符号化処理方式の少なくとも一つとして前記圧縮符号化する際のＷａｖｅｌｅｔフィルタを記録した前記編集を行なう、請求項１１に記載の編集装置。
【請求項１６】
前記被写体を特定する情報と前記圧縮符号化処理方式を指示する情報とに関連付けて、必要に応じて画像の符号量を削減する複数段階の優先度の情報を記録した前記編集を行なう、請求項１１〜１５の何れかの一に記載の編集装置。
【請求項１７】
請求項１１〜１６の何れかの一に記載の編集装置の前記編集の処理をコンピュータに実行させるコンピュータに読み取り可能なプログラム。
【請求項１８】
請求項１７のプログラムを記憶している記憶媒体。
【発明の詳細な説明】
【０００１】
【発明の属する技術分野】
本発明は、撮像装置、編集装置、プログラム及び記憶媒体に関する。
【０００２】
【従来の技術】
所望の機能を追加するために外部からプログラムを導入できるデジタルカメラが知られている（特許文献１参照）。
【０００３】
また、画像圧縮伸長アルゴリズムについて、静止画像の符号化についてはＪＰＥＧ２０００、Ｍｏｔｉｏｎ静止画像の符号化についてはＭｏｔｉｏｎ　ＪＰＥＧ２０００という新しい方式が、国際標準として規格化されつつある。
【０００４】
【特許文献１】
特開平１０−３４１３９６号公報
【０００５】
【発明が解決しようとする課題】
雑誌編集業界や、建設業界などでは、雑誌に掲載する小物、建造途中の建物など、様々な目的物を、上司などの指示者の命令により撮影者が指示者の指示どおりに目的地でデジタルカメラにより撮影するということが行なわれる。このような場合、指示者は、どのような対象物をどのように撮影するか細かな指示を撮影者に与える必要がある。また、撮影した画像データは圧縮符号化されてデジタルカメラに蓄積されるが、その圧縮符号化を行なう際の圧縮符号化処理方式についても、画像の一枚一枚について指示を与える必要のある場合がある。これは、デジタルカメラの画像の記憶容量に限りがある反面、撮影した画像の使用目的が一枚一枚異なり、画質など、要求される品質も一枚一枚異なる場合があるからである。
【０００６】
しかしながら、このような指示をメモ書きの手渡しで行なったのでは、一枚一枚異なる指示で撮影しなければならない撮影者の作業は極めて煩雑なものとなる不具合がある。
【０００７】
本発明の目的は、指示者からの指示どおりの撮影を撮影者が容易に行なえるようにすることである。
【０００８】
本発明の別の目的は、記憶容量の制限から撮影する全ての画像を記憶できないときは、指示者が指示する圧縮後の符号量を削減する優先度の高い画像から符号量を削減することを可能として、極力全ての画像を記憶できるようにすることである。
【０００９】
【課題を解決するための手段】
請求項１に記載の発明は、画像を撮像する撮像素子と、この撮像した画像データを圧縮符号化する圧縮手段と、前記撮像を行なう被写体を特定する情報と前記圧縮手段による圧縮符号化の際の圧縮符号化処理方式を指示する情報とを関連付けて、書換可能に記憶する第１の記憶装置と、前記指示する情報の指示に応じて前記圧縮符号化処理方式を設定する設定手段と、を備えている撮像装置である。
【００１０】
したがって、撮影の指示者から撮像を行なう被写体を特定する情報と撮影画像の圧縮符号化の際の圧縮符号化処理方式を指示する情報とを関連付けた情報を受け取って第１の記憶装置に記憶すれば、撮像を行なう被写体を特定する情報を閲覧し、また、撮影画像の圧縮符号化の際の圧縮符号化処理方式を画像ごとに自動で設定することが可能となる。
【００１１】
請求項２に記載の発明は、請求項１に記載の撮像装置において、前記圧縮手段は、ＪＰＥＧ２０００アルゴリズムにより前記圧縮符号化を行なうものであり、前記設定手段は、ＪＰＥＧ２０００アルゴリズムによる圧縮符号化処理方式の設定を行なうものである。
【００１２】
したがって、ＪＰＥＧ２０００アルゴリズムによる様々な圧縮符号化処理方式の設定を行なうことができる。
【００１３】
請求項３に記載の発明は、請求項２に記載の撮像装置において、前記設定手段は、圧縮符号化処理方式の少なくとも一つとして前記圧縮符号化する際の階層数を設定する。
【００１４】
したがって、圧縮符号化する際の階層数を画像ごとに自動で設定することができる。
【００１５】
請求項４に記載の発明は、請求項２に記載の撮像装置において、前記設定手段は、圧縮符号化処理方式の少なくとも一つとして前記圧縮符号化する際の圧縮率を設定する。
【００１６】
したがって、圧縮符号化する際の圧縮率を画像ごとに自動で設定することができる。
【００１７】
請求項５に記載の発明は、請求項２に記載の撮像装置において、前記設定手段は、圧縮符号化処理方式の少なくとも一つとして前記圧縮符号化する際のプログレッシブを設定する。
【００１８】
したがって、圧縮符号化する際のプログレッシブを画像ごとに自動で設定することができる。
【００１９】
請求項６に記載の発明は、請求項２に記載の撮像装置において、前記設定手段は、圧縮符号化処理方式の少なくとも一つとして前記圧縮符号化する際のＷａｖｅｌｅｔフィルタを設定する。
【００２０】
したがって、圧縮符号化する際のＷａｖｅｌｅｔフィルタを画像ごとに自動で設定することができる。
【００２１】
請求項７に記載の発明は、請求項２〜６の何れかの一に記載の撮像装置において、前記第１の記憶装置は、前記被写体を特定する情報と前記圧縮符号化処理方式を指示する情報とに関連付けて、必要に応じて画像の符号量を削減する複数段階の優先度の情報も書き換え可能に記憶するものであり、前記圧縮符号化後の符号データを第２の記憶装置に記憶する画像記憶手段と、前記第２の記憶装置の使用されている記憶容量を所定の閾値と比較する比較手段と、前記記憶容量が前記閾値を上回ったときは、前記第２の記憶装置に記憶されている符号データの符号量を、前記符号量を削減する優先度の高い画像が低い画像の符号量を上回らないように削減する削減手段と、前記記憶容量が前記閾値を上回ったときは、前記削減により前記記憶容量が前記閾値を下回るまで、前記撮像を禁止する禁止手段と、を備えている。
【００２２】
したがって、記憶容量の制限から撮影する全ての画像を記憶できないときは、指示者が指示する圧縮後の符号量を削減する優先度の高い画像から符号量を削減して、極力全ての画像を記憶できるようにすることができる。
【００２３】
請求項８に記載の発明は、請求項２〜６の何れかの一に記載の撮像装置において、前記第１の記憶装置は、前記被写体を特定する情報と前記圧縮符号化処理方式を指示する情報とに関連付けて、必要に応じて画像の符号量を削減する複数段階の優先度の情報も書き換え可能に記憶するものであり、前記圧縮符号化後の符号データを第２の記憶装置に記憶する画像記憶手段と、前記第２の記憶装置の使用されている記憶容量を所定の閾値と比較する比較手段と、前記記憶容量が前記閾値を上回ったときは、前記第２の記憶装置に記憶されている画像の中からユーザの選択に応じての符号量を削減する削減手段と、前記記憶容量が前記閾値を上回ったときは、前記削減により前記記憶容量が前記閾値を下回るまで、前記撮像を禁止する禁止手段と、を備えている。
【００２４】
したがって、記憶容量の制限から撮影する全ての画像を記憶できないときは、指示者が指示する圧縮後の符号量を削減する優先度を参照し、ユーザの選択により画像の符号量を削減して、極力全ての画像を記憶できるようにすることができる。
【００２５】
請求項９に記載の発明は、請求項７又は８に記載の撮像装置において、前記削減手段は、前記第２の記憶装置に記憶されている前記符号データをさらに高い圧縮率で再度圧縮した符号データとすることにより前記符号量の削減を行なう。
【００２６】
したがって、符号データをさらに高い圧縮率で再度圧縮して符号量を削減することができる。
【００２７】
請求項１０に記載の発明は、請求項７又は８に記載の撮像装置において、前記削減手段は、前記第２の記憶装置に記憶されている前記符号データの符号の一部を削減することにより前記符号量の削減を行なう。
【００２８】
したがって、符号データの符号の一部を削減して符号量を削減することができる。
【００２９】
請求項１１に記載の発明は、ユーザの入力に応じて、画像を撮像する撮像装置で前記撮像を行なう被写体を特定する情報と、前記撮像後の画像データを圧縮符号化する際の圧縮符号化処理方式を前記撮像装置を制御するコンピュータに対して指示する情報とを関連付けて記録するファイルの編集を行なう、編集装置である。
【００３０】
したがって、撮像装置による撮影者に編集したファイルを与えることにより、撮影者は、撮像を行なう被写体を特定する情報を閲覧し、また、撮影画像の圧縮符号化の際の圧縮符号化処理方式を画像ごとに自動で設定することが可能となる。
【００３１】
請求項１２に記載の発明は、請求項１１に記載の編集装置において、前記圧縮符号化処理方式の少なくとも一つとして前記圧縮符号化する際の階層数を記録した前記編集を行なう。
【００３２】
したがって、圧縮符号化する際の階層数を画像ごとに自動で設定することができる。
【００３３】
請求項１３に記載の発明は、請求項１１に記載の編集装置において、前記圧縮符号化処理方式の少なくとも一つとして前記圧縮符号化する際の圧縮率を記録した前記編集を行なう。
【００３４】
したがって、圧縮符号化する際の圧縮率を画像ごとに自動で設定することができる。
【００３５】
請求項１４に記載の発明は、請求項１１に記載の編集装置において、前記圧縮符号化処理方式の少なくとも一つとして前記圧縮符号化する際のプログレッシブを記録した前記編集を行なう。
【００３６】
したがって、圧縮符号化する際のプログレッシブを画像ごとに自動で設定することができる。
【００３７】
請求項１５に記載の発明は、請求項１１に記載の編集装置において、前記圧縮符号化処理方式の少なくとも一つとして前記圧縮符号化する際のＷａｖｅｌｅｔフィルタを記録した前記編集を行なう。
【００３８】
したがって、圧縮符号化する際のＷａｖｅｌｅｔフィルタを画像ごとに自動で設定することができる。
【００３９】
請求項１６に記載の発明は、請求項１１〜１５の何れかの一に記載の編集装置において、前記被写体を特定する情報と前記圧縮符号化処理方式を指示する情報とに関連付けて、必要に応じて画像の符号量を削減する複数段階の優先度の情報を記録した前記編集を行なう。
【００４０】
したがって、指示者が画像の符号量を削減する複数段階の優先度を指定し、記憶容量の制限から撮影する全ての画像を記憶できないときは、この優先度の情報を利用して、極力全ての画像を記憶できるようにすることができる。
【００４１】
請求項１７に記載の発明は、請求項１１〜１６の何れかの一に記載の編集装置の前記編集の処理をコンピュータに実行させるコンピュータに読取り可能なプログラムである。
【００４２】
したがって、請求項１１〜１６の何れかの一に記載の発明と同様の作用を奏する。
【００４３】
請求項１８に記載の発明は、請求項１７のプログラムを記憶している記憶媒体である。
【００４４】
したがって、記憶しているプログラムにより請求項１１〜１６の何れかの一に記載の発明と同様の作用を奏する。
【００４５】
【発明の実施の形態】
［ＪＰＥＧ２０００アルゴリズムの概要］
まず、本発明の実施の形態の前提技術となるＪＰＥＧ２０００アルゴリズムの概要について説明する。
【００４６】
図１は、ＪＰＥＧ２０００アルゴリズムの基本を説明するための説明図である。ＪＰＥＧ２０００のアルゴリズムは、色空間変換・逆変換部１１１、２次元ウェーブレット変換・逆変換部１１２、量子化・逆量子化部１１３、エントロピー符号化・復号化部１１４、タグ処理部１１５で構成されている。
【００４７】
図２に示すように、カラー画像は、一般に、原画像の各コンポーネント（ここではＲＧＢ原色系）が、矩形をした領域（タイル）１２１，１２２，１２３によって分割される。そして、個々のタイル、例えば、Ｒ００，Ｒ０１，…，Ｒ１５／Ｇ００，Ｇ０１，…，Ｇ１５／Ｂ００，Ｂ０１，…，Ｂ１５が、圧縮伸長プロセスを実行する際の基本単位となる。従って、圧縮伸長動作は、コンポーネント毎、そしてタイル毎に、独立に行なわれる。
【００４８】
画像データの符号化時には、各コンポーネントの各タイルのデータが、図１の色空間変換・逆変換部１１１に入力され、色空間変換を施されたのち、２次元ウェーブレット変換・逆変換部１１２で２次元ウェーブレット変換（順変換）が適用されて周波数帯に空間分割される。
【００４９】
図３には、デコンポジション・レベル数が３の場合の、各デコンポジション・レベルにおけるサブ・バンドを示している。すなわち、原画像のタイル分割によって得られたタイル原画像（０ＬＬ）（デコンポジション・レベル０（１３１））に対して、２次元ウェーブレット変換を施し、デコンポジション・レベル１（１３２）に示すサブ・バンド（１ＬＬ，１ＨＬ，１ＬＨ，１ＨＨ）を分離する。そして引き続き、この階層における低周波成分１ＬＬに対して、２次元ウェーブレット変換を施し、デコンポジション・レベル２（１３３）に示すサブ・バンド（２ＬＬ，２ＨＬ，２ＬＨ，２ＨＨ）を分離する。順次、同様に、低周波成分２ＬＬに対しても、２次元ウェーブレット変換を施し、デコンポジション・レベル３（１３４）に示すサブ・バンド（３ＬＬ，３ＨＬ，３ＬＨ，３ＨＨ）を分離する。さらに、図３では、各デコンポジション・レベルにおいて符号化の対象となるサブ・バンドを、斜線で表してある。例えば、デコンポジション・レベル数を３とした時、斜線で示したサブ・バンド（３ＨＬ，３ＬＨ，３ＨＨ，２ＨＬ，２ＬＨ，２ＨＨ，１ＨＬ，１ＬＨ，１ＨＨ）が符号化対象となり、３ＬＬサブ・バンドは符号化されない。
【００５０】
次いで、指定した符号化の順番で符号化の対象となるビットが定められ、図１の量子化・逆量子化部１１３で対象ビット周辺のビットからコンテキストが生成される。量子化の処理が終わったウェーブレット係数は、個々のサブバンド毎に、「プレシンクト」と呼ばれる重複しない矩形に分割される。これは、インプリメンテーションでメモリを効率的に使うために導入されたものである。図５に示すように、一つのプレシンクトは、空間的に一致した３つの矩形領域からなっている。更に、個々のプレシンクトは、重複しない矩形の「コード・ブロック」に分けられる。これは、エントロピー・コーディングを行なう際の基本単位となる。
【００５１】
ウェーブレット変換後の係数値は、そのまま量子化し符号化することも可能であるが、ＪＰＥＧ２０００では符号化効率を上げるために、係数値を「ビットプレーン」単位に分解し、画素あるいはコード・ブロック毎に「ビットプレーン」に順位付けを行なうことができる。図６には、その手順を簡単に示した。この例は、原画像（３２×３２画素）を１６×１６画素のタイル４つで分割した場合で、デコンポジション・レベル１のプレシンクトとコード・ブロックの大きさは、各々８×８画素と４×４画素としている。プレシンクトとコード・ブロックの番号は、ラスター順に付けられる。タイル境界外に対する画素拡張にはミラーリング法を使い、可逆（５×３）フィルタでウェーブレット変換を行ない、デコンポジションレベル１のウェーブレット係数値を求めている。また、タイル０／プレシンクト３／コード・ブロック３について、代表的な「レイヤー」についての概念図をも併せて示している。レイヤーの構造は、ウェーブレット係数値を横方向（ビットプレーン方向）から見ると理解し易い。１つのレイヤーは任意の数のビットプレーンから構成される。この例では、レイヤー０，１，２，３は、各々、１，３，１の３つのビットプレーンから成っている。そして、ＬＳＢに近いビットプレーンを含むレイヤー程、先に量子化の対象となり、逆に、ＭＳＢに近いレイヤーは最後まで量子化されずに残ることになる。ＬＳＢに近いレイヤーから破棄する方法はトランケーションと呼ばれ、量子化率を細かく制御することが可能である。
【００５２】
エントロピー符号化・復号化部１１４（図１参照）では、コンテキストと対象ビットから確率推定によって、各コンポーネントのタイルに対する符号化を行なう。こうして、原画像の全てのコンポーネントについて、タイル単位で符号化処理が行われる。最後にタグ処理部１１５は、エントロピコーダ部からの全符号化データを１本のコード・ストリームに結合するとともに、それにタグを付加する処理を行なう。図４には、コード・ストリームの構造を簡単に示した。図４に示すように、コード・ストリームの先頭と各タイルを構成する部分タイルの先頭にはヘッダと呼ばれるタグ情報が付加され、その後に、各タイルの符号化データが続く。そして、コード・ストリームの終端には、再びタグが置かれる。
【００５３】
一方、復号化時には、符号化時とは逆に、各コンポーネントの各タイルのコード・ストリームから画像データを生成する。図１を用いて簡単に説明する。この場合、タグ処理部１１５は、外部より入力したコード・ストリームに付加されたタグ情報を解釈し、コード・ストリームを各コンポーネントの各タイルのコード・ストリームに分解し、その各コンポーネントの各タイルのコード・ストリーム毎に復号化処理が行われる。コード・ストリーム内のタグ情報に基づく順番で復号化の対象となるビットの位置が定められるとともに、量子化・逆量子化部１１３で、その対象ビット位置の周辺ビット（既に復号化を終えている）の並びからコンテキストが生成される。エントロピー符号化・復号化部１１４で、このコンテキストとコード・ストリームから確率推定によって復号化を行ない対象ビットを生成し、それを対象ビットの位置に書き込む。このようにして復号化されたデータは周波数帯域毎に空間分割されているため、これを２次元ウェーブレット変換・逆変換部１１２で２次元ウェーブレット逆変換を行なうことにより、画像データの各コンポーネントの各タイルが復元される。復元されたデータは色空間変換・逆変換部１１１によって元の表色系のデータに変換される。
【００５４】
［発明の実施の形態１］
本発明の一実施の形態を発明の実施の形態１として説明する。
【００５５】
図７は、実施の形態１にかかるデジタルスチルカメラ１のブロック図である。図７に示すように、このデジタルスチルカメラ１（以下、単に「カメラ１」という）は、本発明の撮像装置を実施するもので、レンズ２と、絞り３と、撮像素子としてのＣＣＤイメージセンサ４と、ＣＣＤイメージセンサ４の蓄積電荷のノイズを低減する２重相関サンプリング回路（ＣＤＳ回路）５と、ＣＣＤイメージセンサ４による撮像信号のゲインを自動調整するＡＧＣ回路６と、ＣＣＤイメージセンサ４で撮影したアナログ画像データをＡ／Ｄ変換するＡ／Ｄ変換回路７と、Ａ／Ｄ変換回路７でＡ／Ｄ変換後のデジタル画像データに所定の信号処理を行なう画像信号処理回路８と、絞り３、シャッタ速度、ＡＧＣ回路６の制御を行なう露出制御回路９と、レンズ２を駆動するフォーカス駆動回路１０とを備えている。
【００５６】
また、カメラ１の各部を集中的に制御するＣＰＵ１１と、ＣＰＵ１１が使用する各種制御プログラムなどを記憶したＲＯＭ１３と、ＣＰＵ１１のワークアエリアとなるＲＡＭ１２と、外部のパーソナルコンピュータなどと通信を行なう所定のインターフェイス１９と、このパーソナルコンピュータなどから受信したデータなどを記憶する第１の記憶装置である不揮発性メモリ１４と、画像信号処理回路８で処理後の画像データを記憶する第２の記憶装置である記録メディア１５と、記録メディア１５に記憶する画像データを圧縮符号化した符号データとし、また、記録メディア１５に記憶されている符号データを伸長する符号データとする圧縮手段となる圧縮・伸長回路１６と、各種のメッセージを表示するＬＣＤなどで構成されたディスプレイ１７と、各種の操作を受付ける操作パネル１８とを備えている。記録メディア１５は、具体的には、半導体メモリであってもよいし、磁気的又は光学的に画像データの記録が書換え可能に実行できる様々なリムーバブルメディアを用いることもできる。
【００５７】
図８は、カメラ１で使用する撮影指示ファイル２１の一例を示す説明図である。この撮影指示ファイル２１は、商品名２２、階層数２３、圧縮率２４、プログレッシブ２５、Ｗａｖｅｌｅｔフィルタ２６及び備考２７を対応付けて複数パターン（この例では、Ｎｏ．１〜６まで）を登録することができる。商品名２２には、撮影指示ファイル２１を作成した指示者がカメラ１の撮影者に撮影を要求する商品の商品名を記載している。また、備考２７には、その商品を撮影する際の具体的なヒントとなる情報が記載されている。商品名２２、備考２７は、被写体を特定する情報となり、階層数２３、圧縮率２４、プログレッシブ２５、Ｗａｖｅｌｅｔフィルタ２６は、圧縮符号化処理方式を指示する情報となる。
【００５８】
階層数２３、圧縮率２４、プログレッシブ２５及びＷａｖｅｌｅｔフィルタ２６は、圧縮・伸長回路１６で画像データをＪＰＥＧ２０００アルゴリズムで圧縮符号化する際の圧縮符号化処理方式を指定するデータである。
【００５９】
すなわち、階層数２３には、画像データを圧縮符号化する際の階層数を登録する。一般に、Ｗａｖｅｌｅｔの階層数が大きくなればより細かい制御が可能になる。
【００６０】
圧縮率２４には、画像を圧縮符号化する際の圧縮率を、５以下、１０以下のように登録する。
【００６１】
プログレッシブ２５には、プログレッシブの種類を登録する。プログレッシブとは、具体的には、ロスレスの符号を削った時に、サイズは一定で画質が落ちていくのをＬＲＣＰといい、また、ロスレスの符号を削った時に、画質は一定でサイズが小さくなるのをＲＬＣＰという。すなわち、プログレッシブとは、符号を作成するときの符号化方式である。
【００６２】
Ｗａｖｅｌｅｔフィルタ２６には、圧縮符号化に使用するＷａｖｅｌｅｔフィルタの種類を登録する。これには、例えば、可逆５×３と非可逆９×７がある。すなわち、ロスレスを必須又は速度優先とするときには可逆５×３と、ロッシーだが高圧縮率でも高画質が得られる非可逆９×７とを選択することができる。
【００６３】
図９は、撮影指示ファイル２１を編集する編集装置３１の電気的な接続を示すブロック図である。図９に示すように、編集装置３１は、パーソナルコンピュータなどであり、各種演算を行ない編集装置３１の各部を集中的に制御するＣＰＵ３２と、各種のＲＯＭやＲＡＭからなるメモリ３３とが、バス３４で接続されている。
【００６４】
バス３４には、所定のインターフェイスを介して、ハードディスクなどの磁気記憶装置３５と、マウスやキーボードなどで構成される入力装置３６と、ＬＣＤやＣＲＴなどの表示装置３７と、光ディスクなどの記憶媒体３８を読取る記憶媒体読取装置３９と、カメラ１と通信を行なう所定のインターフェイス４２とが接続され、また、インターネットなどのネットワーク４０と通信を行なう所定の通信インターフェイス４１が接続されている。なお、記憶媒体３８としては、ＣＤやＤＶＤなどの光ディスク、光磁気ディスク、フレキシブルディスクなどの各種方式のメディアを用いることができる。また、記憶媒体読取装置３９は、具体的には記憶媒体３８の種類に応じて光ディスクドライブ、光磁気ディスクドライブ、フレキシブルディスクドライブなどが用いられる。
【００６５】
磁気記憶装置３５には、この発明のプログラムを実現する編集プログラムが記憶されている。一般的には、この編集プログラムは、カメラ１の付属品として提供される記憶媒体３８から記憶媒体読取装置３９により読取ることで編集装置１にインストールするが、インターネットなどのネットワーク４０からダウンロードして、磁気記憶装置３５にインストールするなどしてもよい。このインストールにより編集装置３１は動作可能な状態となる。この編集プログラムは、特定のアプリケーションソフトの一部をなすものであってもよい。また、所定のＯＳ上で動作するものであってもよい。
【００６６】
次に、編集装置３１が編集プログラムに基づいて行なう撮影指示ファイル２１の編集処理について説明する。
【００６７】
編集装置３１においてユーザが編集プログラムを立ち上げて、撮影指示ファイル２１の作成を指示すると（ステップＳ１のＹ）、撮影指示ファイル２１用の書式を呼び出し（ステップＳ２）、その編集が可能となる。そのＮｏ．１の欄の商品名２２への入力がされると（ステップＳ３のＹ）、階層数２３への入力が可能となり（ステップＳ４）、階層数２３への入力がされると（ステップＳ４のＹ）、圧縮率２４への入力が可能となり（ステップＳ５）、圧縮率２４への入力がされると（ステップＳ５のＹ）、プログレッシブ２５への入力が可能となり（ステップＳ６）、プログレッシブ２５への入力がなされると（ステップＳ６のＹ）、Ｗａｖｅｌｅｔフィルタ２６への入力が可能となり（ステップＳ７）、Ｗａｖｅｌｅｔフィルタ２６への入力がなされると（ステップＳ７のＹ）、備考２７への入力が可能となり（ステップＳ８）、備考２７への入力がされることで（ステップＳ８のＹ）、Ｎｏ．１の欄への入力が完了する。
【００６８】
ユーザの所定の操作により撮影指示ファイル２１の作成が完了されると（ステップＳ９のＹ）、一連の処理が終了し、作成を継続する場合は（ステップＳ９のＮ）、改行して（ステップＳ１０）、ステップＳ３に戻り、Ｎｏ．２以降の欄についても前述と同様に編集することができる。
【００６９】
このようにして撮影指示ファイル２１を作成すると、ユーザの所定操作により、作成した撮影指示ファイル２１がインターフェイス４２を介してカメラ１に送信される。
【００７０】
次に、この撮影指示ファイル２１を用いてカメラ１が行なう処理について説明する。図１１、図１２は、この場合の処理のフローチャートである。図１１に示すように、ＣＰＵ１１は、インターフェイス１９を介してＰＣから撮影指示ファイル２１の送信を受付けると（ステップＳ１１のＹ）、この撮影指示ファイル２１のデータを不揮発性メモリ１４に記憶する（ステップＳ１２）。
【００７１】
図１２に示すように、カメラ１の図示しない主電源が投入されると（ステップＳ２１のＹ）、ＣＰＵ１１は、不揮発性メモリ１４に記憶されている撮影指示ファイル２１のデータを読込んで（ステップＳ２２）、その内容をディスプレイ１７に表示する（ステップＳ２３）。ユーザがこの内容を閲覧して、Ｎｏ．１〜６の欄から所望のものを選択すると（ステップＳ２４のＹ）、その欄の階層数２３、圧縮率２４、プログレッシブ２５、Ｗａｖｅｌｅｔフィルタ２６に記録されている、階層数、圧縮率、プログレッシブ、Ｗａｖｅｌｅｔフィルタの各圧縮符号化処理方式が設定される（ステップＳ２５）。ステップＳ２５により、設定手段を実現する。
【００７２】
そして、ユーザは、その欄の商品名２２、備考２７の記載を参考にして、商品名２２で指定された商品を被写体としてカメラ１を構え、図示しない撮影ボタンを押すと（ステップＳ２６のＹ）、カメラ１は撮影を行ない（ステップＳ２７）、その撮影した画像データは、ステップＳ２５で設定された階層数、圧縮率、プログレッシブ、Ｗａｖｅｌｅｔフィルタで圧縮・伸長回路１６により圧縮符号化されて（ステップＳ２８）、記録メディア１５に記憶される（ステップＳ２９）。
【００７３】
このように、記録メディア１５に記憶された符号データは、圧縮・伸長回路１６により伸長し、あるいは、そのままインターフェイス１９を介して編集装置３１などのコンピュータに送信し、コンピュータ上で利用することができる。なお、記録メディア１５への記憶の際に、画像データには、撮影指示ファイル２１の対応するＮｏ．や商品名２２が付加される。
【００７４】
したがって、撮影の指示者から撮影指示ファイル２１を受け取ってカメラ１に記憶し、撮影現場では、被写体を特定する商品名２２や備考２７を閲覧し、また、撮影画像の圧縮符号化の際の階層数、圧縮率等の圧縮符号化処理方式を自動で設定することが可能となる。
【００７５】
［発明の実施の形態２］
別の実施の形態を発明の実施の形態２として説明する。
【００７６】
図１３は、本実施の形態で使用する撮影指示ファイル２１の説明図である。この撮影指示ファイル２１が実施の形態１のものと相違する点は、圧縮率２４の欄に代えて優先度２８の欄が設けられていることである。
【００７７】
優先度２８には、優先度Ａ，Ｂ又はＣが記録される。これは、必要に応じて画像の符号量を削減する優先度を示すもので、“優先度Ａ＞優先度Ｂ＞優先度Ｃ”の順で画像を高画質で保存する必要性が高く、優先度Ｃのものは真っ先に符号量の削減がされ、優先度Ａのものは最後に符号量の削減がされる。
【００７８】
この場合の撮影指示ファイル２１の編集処理の流れは図１４のとおりであり、ステップＳ５では、実施の形態１における圧縮率２４の入力に代えて前述の優先度２８の入力を受付ける。他のステップについては図１０を参照して説明した実施の形態１と同様であり、説明は省略する。
【００７９】
図１５は、この撮影指示ファイル２１を用いて行なうカメラ１の処理のフローチャートである。このフローチャートにおいて、ステップＳ２１〜Ｓ２９は図１２を参照して説明した実施の形態１の場合と同様であり、詳細な説明は省略する。但し、圧縮・伸長回路１６で扱う圧縮率は、ここでは、例えば、低い順にレベル１〜５の５段階に切り替えるものとし、ステップＳ２５における圧縮率の設定は、デフォルトで、優先度Ａはレベル１、優先度Ｂはレベル２、優先度Ｃはレベル３にするものとする。あるいは、デフォルトで、優先度Ａ，Ｂ，Ｃすべてレベル１としてもよい。また、符号データとして記録メディア１５に記憶する画像には、その優先度が優先度Ａ〜Ｃのうちのどれに設定されたかのデータも付加されているものとする。
【００８０】
この実施の形態では、１枚の画像の符号データを記憶した（ステップＳ２９）後、記録メディア１５の使用されている記憶容量を所定の閾値と比較して（ステップＳ３０）、記憶容量の残量が大変残り少なくなっているか否かを判断する。そして、記録メディア１５の使用されている記憶容量が閾値を超えているときは（ステップＳ３０のＹ）、記憶容量の残量が残り少ないと判断して、記録メディア１５に記憶されている各優先度Ａ，Ｂ，Ｃである画像の符号データを、それぞれ圧縮・伸長回路１６によりさらにレベルを一段階高くした圧縮率で再度符号化して、記録メディア１５に格納する（ステップＳ３１）。この場合、優先度Ｃである符号データがデフォルトのレベル３であれば、より圧縮率の高いレベル４で再度圧縮されることになる。同様に、優先度Ｂである符号データがレベル２であればレベル３、優先度Ａである符号データがレベル１であればレベル２に、それぞれ圧縮されることになる。そして、ステップＳ３０に戻り、閾値以下であれば（ステップＳ３０のＮ）、ステップＳ２４に戻り、閾値を超えていれば（ステップＳ３０のＹ）、ステップＳ３１の処理により再度圧縮率のレベルをもう一段階下げるようにする。ステップＳ２９により画像記憶手段を、ステップＳ３０により比較手段を、ステップＳ３１により削減手段を実現している。
【００８１】
なお、“優先度Ａの画像の圧縮率≦優先度Ｂの画像の圧縮率≦優先度Ｃの画像の圧縮率”という、優先度の高い画像の圧縮率を優先度の低い画像の圧縮率が下回らないような関係を維持することで、“優先度Ａの画像の符号量≧優先度Ｂの画像の符号削減量≧優先度Ｃの画像の符号削減量”という、優先度の高い画像の符号量を優先度の低い画像の符号量が上回らないような関係を維持しつつ、記録メディア１５の使用されている記憶容量が所定の閾値を下回るように漸次各優先度の圧縮率を高めるようにするのであれは、必ずしもこのような処理に限定する必要はない。例えば、優先度Ｃの画像だけ圧縮率を一段階下げで、それで記憶容量が閾値を下回らない場合だけ、次に優先度が高い優先度Ｂの画像だけ圧縮率を一段階下げ、それで記憶容量が閾値を下回らない場合だけ、さらに優先度が高い優先度Ａ画像だけ圧縮率を一段階下げる、という処理を繰り返すことなどが考えられる。
【００８２】
このような構成にすることにより、記録メディア１５が撮影途中でフルになった場合にも、撮影指示ファイル２１に記載されているすべての画像を極力撮影できるようにして、記録メディア１５に保存することができる。しかも、優先度の高い、すなわち高画質を維持する必要性の高い画像の画質劣化は、極力発生しないようにすることができる。
【００８３】
［発明の実施の形態３］
別の実施の形態を発明の実施の形態３として説明する。
【００８４】
この実施の形態では、実施の形態２と同様に図１４の処理で編集された図１３の撮影指示ファイル２１を用い、カメラ１は次のような処理を行なう。
【００８５】
図１６に示すように、ステップＳ２１〜Ｓ２９の処理は、実施の形態２と同様である。ここでは、１枚の画像の符号データを記憶した（ステップＳ２９）後、記録メディア１５の使用されている記憶容量を所定の閾値と比較して（ステップＳ４１）、記憶容量の残量が大変残り少なくなっているか否かを判断する。そして、記録メディア１５の使用されている記憶容量が閾値を超えているときは（ステップＳ４１のＹ）、記録メディア１５に記憶されている各画像の符号データのうち、符号の一部の破棄が可能な画像があるか否かを判断する（ステップＳ４２）。そして、符号の一部の破棄が可能な画像があるときは（ステップＳ４２のＹ）、その画像の符号の一部破棄を行なう（ステップＳ４３）。この場合はステップＳ４１に戻る。ないときは（ステップＳ４２のＮ）、記録メディア１５がリムーバブルメディアである場合には、当該記録メディア１５を交換するようにディスプレイ１７にメッセージを表示して処理を終了する（ステップＳ４４）。ステップＳ４１により比較手段を実現し、ステップＳ４２，Ｓ４３により削減手段を実現している。
【００８６】
符号データが図２０のように配列され、各ビットプレーンがレイヤであるとすると、ステップＳ４２，Ｓ４３にいう符号の一部破棄とは、下位のレイヤから順に符号を破棄することである。図２０の例においては、レイヤ１０のタイルパートを破棄し、レイヤ９のタイルパートを破棄し、レイヤ９のタイルパートを破棄する、…というように符号を破棄する。なお、レイヤ（ビットプレーン）の総数は、様々であるが、代表的には８や１２である。
【００８７】
図１７は、ステップＳ４２の判断の詳細を説明する説明図である。まず、記録メディア１５に記憶済みの画像の総数をＮとする。そして、所定のカウンタのカウント数（ｃｏｕｎｔ）を０にリセットする（ステップＳ５１）。記録メディア１５に記憶済みのＮ番目の画像“Ｉｍａｇｅ（ｃｏｕｎｔ）”は優先度Ｃかの判断を行ない（ステップＳ５２）、優先度Ｃの場合は（ステップＳ５２のＹ）、限度まで符号の一部が破棄されているか否かを判断する（ステップＳ５３）。
【００８８】
ここで、限度まで符号を破棄するとは、図２０の例において、必ずしもレイヤ０のタイルパートだけを残して、後のレイヤをすべて破棄することを意味するものではない。すなわち、実際はレイヤ３程度まで破棄せずに残さないと画像の概要すら判別できなくなるため、画像の概要が判別できる限界と考えられる所定のレイヤまで（前述のようにレイヤ３程度まで）破棄することを、ここでは限度まで符号を破棄するという。
【００８９】
限度まで符号の一部が破棄されていないときは（ステップＳ５３のＮ）、当該画像“Ｉｍａｇｅ（ｃｏｕｎｔ）”を符号の一部を破棄する画像に選択する（ステップＳ５６）。そうでないときは、前述のカウンタを＋１だけインクリメントして（ステップＳ５４）、ステップＳ２に戻る。優先度Ｃでない場合は（ステップＳ５２のＮ）、前述のカウンタを＋１だけインクリメントするか（ステップＳ５５のＹ，Ｓ４）、カウンタのカウント数（ｃｏｕｎｔ）がＮに達したときは（ステップＳ５５のＮ）、ステップＳ５８に進む。このように、優先度Ｃで符号の一部を破棄可能な画像があるかいなかの字判定をＮ回まわし、次には、ステップＳ５２〜Ｓ５５と同様の処理で、優先度Ｂで符号の一部を破棄可能な画像があるかいなかの字判定をＮ回まわし（ステップＳ５８〜Ｓ６２）、さらに、ステップＳ５２〜Ｓ５５と同様の処理で、優先度Ａで符号の一部を破棄可能な画像があるかいなかの字判定をＮ回まわし（ステップＳ６３〜Ｓ６７）、全ての優先度において符号の一部を破棄可能な画像がないときは、（ステップＳ６７のＮ）、符号の一部を破棄する画像はないと判断する（ステップＳ５７）。
【００９０】
なお、“優先度Ａの画像の符号量≧優先度Ｂの画像の符号削減量≧優先度Ｃの画像の符号削減量”という、優先度の高い画像の符号量を優先度の低い画像の符号量が上回らないような関係を維持しつつ、記録メディア１５の使用されている記憶容量が所定の閾値を下回るように漸次各優先度の画像の符号の一部を削減するようにするのであれは、必ずしもこのような処理に限定する必要はない。
【００９１】
このような構成にすることにより、記録メディア１５が撮影途中でフルになった場合にも、撮影指示ファイル２１に記載されているすべての画像を極力撮影できるようにして、記録メディア１５に保存することができる。しかも、優先度の高い、すなわち高画質を維持する必要性の高い画像の画質劣化は、極力発生しないようにすることができる。
【００９２】
［発明の実施の形態４］
別の実施の形態を発明の実施の形態４として説明する。
【００９３】
この実施の形態では、実施の形態２と同様に図１４の処理で編集された図１３の撮影指示ファイル２１を用い、カメラ１は次のような処理を行なう。
【００９４】
図１８に示すように、ステップＳ２１〜Ｓ２９の処理は、実施の形態２と同様である。但し、ステップＳ２３では、図１３に示す撮影指示ファイル２１の内容を全て表示するのではなく、図１９に示すように、商品名２２及び備考２７の欄のみを表示する。ここでは、１枚の画像の符号データを記憶した（ステップＳ２９）後、記録メディア１５の使用されている記憶容量を所定の閾値と比較して（ステップＳ６１）、記憶容量の残量が大変残り少なくなっているか否かを判断する。そして、記録メディア１５の使用されている記憶容量が閾値を超えているときは（ステップＳ６１のＹ）、図１８の撮影指示ファイル２１の中からユーザに所望の画像を選択させる（ステップＳ６２）。ユーザは優先度２８を参考に重要度が低いと思う画像を選択し（ステップＳ６２のＹ）、この選択がされた画像は、符号量が所定程度削減される（ステップＳ６３）。この削減は、実施の形態２のように圧縮率を高めることによっても、実施の形態３のように符号の一部を削減することによってもよい。そして、ステップＳ６３の後、ステップＳ６１に戻る。ステップＳ６１により比較手段を実現し、ステップＳ６２，Ｓ６３により削減手段を実現している。
【００９５】
このような構成にすることにより、記録メディア１５が撮影途中でフルになった場合にも、撮影指示ファイル２１に記載されているすべての画像を極力撮影できるようにして、記録メディア１５に保存することができる。しかも、ユーザの選択により、優先度の高い、すなわち高画質を維持する必要性の高い画像の画質劣化は、極力発生しないようにすることができる。
【００９６】
なお、以上の本発明の実施の形態では、本発明の撮像装置をデジタルスチルカメラとして実施した例で説明したが、本発明はこれに限定されるものではなく、デジタルムービーカメラや、スチルもムービーも撮像可能なデジタルスチルムービーカメラとして実施することもできる。
【００９７】
【発明の効果】
請求項１に記載の発明は、撮影の指示者から撮像を行なう被写体を特定する情報と撮影画像の圧縮符号化の際の圧縮符号化処理方式を指示する情報とを関連付けた情報を受け取って第１の記憶装置に記憶すれば、撮像を行なう被写体を特定する情報を閲覧し、また、撮影画像の圧縮符号化の際の圧縮符号化処理方式を画像ごとに自動で設定することが可能となる。
【００９８】
請求項２に記載の発明は、請求項１に記載の発明において、ＪＰＥＧ２０００アルゴリズムによる様々な圧縮符号化処理方式の設定を行なうことができる。
【００９９】
請求項３，１２に記載の発明は、請求項２，１１に記載の発明において、圧縮符号化する際の階層数を画像ごとに自動で設定することができる。
【０１００】
請求項４，１３に記載の発明は、請求項２，１１に記載の発明において、圧縮符号化する際の圧縮率を画像ごとに自動で設定することができる。
【０１０１】
請求項５，１４に記載の発明は、請求項２，１１に記載の発明において、圧縮符号化する際のプログレッシブを画像ごとに自動で設定することができる。
【０１０２】
請求項６，１５に記載の発明は、請求項２，１１に記載の発明において、圧縮符号化する際のＷａｖｅｌｅｔフィルタを画像ごとに自動で設定することができる。
【０１０３】
請求項７に記載の発明は、請求項２〜６の何れかの一に記載の発明において、記憶容量の制限から撮影する全ての画像を記憶できないときは、指示者が指示する圧縮後の符号量を削減する優先度の高い画像から符号量を削減して、極力全ての画像を記憶できるようにすることができる。
【０１０４】
請求項８に記載の発明は、請求項２〜６の何れかの一に記載の発明において、記憶容量の制限から撮影する全ての画像を記憶できないときは、指示者が指示する圧縮後の符号量を削減する優先度を参照し、ユーザの選択により画像の符号量を削減して、極力全ての画像を記憶できるようにすることができる。
【０１０５】
請求項９に記載の発明は、請求項７又は８に記載の発明において、符号データをさらに高い圧縮率で再度圧縮して符号量を削減することができる。
【０１０６】
請求項１０に記載の発明は、請求項７又は８に記載の発明において、符号データの符号の一部を削減して符号量を削減することができる。
【０１０７】
請求項１１に記載の発明は、撮像装置による撮影者に編集したファイルを与えることにより、撮影者は、撮像を行なう被写体を特定する情報を閲覧し、また、撮影画像の圧縮符号化の際の圧縮符号化処理方式を画像ごとに自動で設定することが可能となる。
【０１０８】
請求項１６に記載の発明は、請求項１１〜１５の何れかの一に記載の発明において、指示者が画像の符号量を削減する複数段階の優先度を指定し、記憶容量の制限から撮影する全ての画像を記憶できないときは、この優先度の情報を利用して、極力全ての画像を記憶できるようにすることができる。
【０１０９】
請求項１７，１８に記載の発明は、請求項１１〜１６の何れかの一に記載の発明と同様の効果を奏する。
【図面の簡単な説明】
【図１】ＪＰＥＧ２０００アルゴリズムの基本を説明するための説明図である。
【図２】カラー画像の各コンポーネントについて説明するための説明図である。
【図３】デコンポジション・レベル数が３の場合の、各デコンポジション・レベルにおけるサブ・バンドを示す説明図である。
【図４】コード・ストリームの構造の説明図である。
【図５】一つのプレシンクトが空間的に一致した３つの矩形領域からなっていることの説明図である。
【図６】係数値をビットプレーン単位に分解し、画素あるいはコード・ブロック毎にビットプレーンに順位付けを行なうことの説明図である。
【図７】本発明の実施の形態１であるデジタルスチルカメラのハードウエア構成の概要を説明するブロック図である。
【図８】デジタルカメラで使用する撮影指示ファイルの説明図である。
【図９】本発明の実施の形態１である編集装置の電気的な接続を示すブロック図である。
【図１０】編集装置の処理を説明するフローチャートである。
【図１１】デジタルスチルカメラの処理を行なうフローチャートである。
【図１２】デジタルスチルカメラの処理を行なうフローチャートである。
【図１３】本発明の実施の形態２であるデジタルスチルカメラで使用する撮影指示ファイルの説明図である。
【図１４】本発明の実施の形態２である編集装置の処理のフローチャートである。
【図１５】デジタルスチルカメラの処理のフローチャートである。
【図１６】本発明の実施の形態３であるデジタルスチルカメラの処理のフローチャートである。
【図１７】デジタルスチルカメラの処理のフローチャートである。
【図１８】本発明の実施の形態４であるデジタルスチルカメラの処理のフローチャートである。
【図１９】デジタルスチルカメラでの撮影指示ファイルの表示を説明する説明図である。
【図２０】符号の一部破棄についての説明図である。
【符号の説明】
１　　　撮像装置
４　　　撮像素子
１４　　第１の記憶装置
１５　　第２の記憶装置
１６　　圧縮手段
２１　　ファイル
２３　　階層数
２４　　圧縮率
２５　　プログレッシブ
２６　　Ｗａｖｅｌｅｔフィルタ
【図１】
2004104306.tif 000003
【図２】
2004104306.tif 000004
【図３】
2004104306.tif 000005
【図４】
2004104306.tif 000006
【図５】
2004104306.tif 000007
【図６】
2004104306.tif 000008
【図７】
2004104306.tif 000009
【図８】
2004104306.tif 000010
【図９】
2004104306.tif 000011
【図１０】
2004104306.tif 000012
【図１１】
2004104306.tif 000013
【図１２】
2004104306.tif 000014
【図１３】
2004104306.tif 000015
【図１４】
2004104306.tif 000016
【図１５】
2004104306.tif 000017
【図１６】
2004104306.tif 000018
【図１７】
2004104306.tif 000019
【図１８】
2004104306.tif 000020
【図１９】
2004104306.tif 000021
【図２０】
2004104306.tif 000022